(57)【要約】【課題】  部品数や作業工程数を減らして収納棚を、簡単、迅速、低コストで、また壁や収納棚を大きく改造、改変することなく、壁に取り付けできるようにする。【解決手段】  前面を開口した物品収納用の凹部１ａを備えた収納棚１を、壁２の開口部３に室内側から嵌め込み、壁２の開口部３周りの対向位置に取り付けた一対の保持具４に、収納棚１の段差状の係合部５を係合させて収納棚１を壁２に取り付ける。この場合、保持具４を、開口部３周りから開口部３の後方に延ばして片持ちばりの板バネ状に形成する。係合部５を収納棚１の外周面に形成する。収納棚１を、開口部３に保持具４の内方への復元力に抗して嵌め込み、保持具４の後端部４ｂを収納棚１の係合部５に係合させる。【選択図】      図１
2006249751.tif 000002
【特許請求の範囲】
【請求項１】
前面が開口された物品収納用の凹部を備えた収納棚を、壁の開口部に室内側から嵌め込み、壁の開口部周りの対向位置に取り付けた一対の保持具に、収納棚の段差状の係合部を係合させて収納棚を壁に取り付ける収納棚の壁取付構造であって、上記の保持具が上記の開口部周りから開口部の後方に延ばされて片持ちばりの板バネ状に形成され、上記の係合部が収納棚の外周面に形成され、収納棚が開口部に保持具の内方への復元力に抗して嵌め込まれると、保持具の後端部が収納棚の係合部に係合されることを特徴とする収納棚の壁取付構造。
【請求項２】
請求項１記載の収納棚の壁取付構造であって、保持具の後端部が、外側にくの字状に屈曲されていることを特徴とする収納棚の壁取付構造。
【請求項３】
請求項１記載の収納棚の壁取付構造であって、保持具の後端部が、壁の前面と平行状に外側に屈曲され、凸段差状の係合部の前面に面接触されることを特徴とする収納棚の壁取付構造。
【請求項４】
請求項１乃至３の何れかに記載の収納棚の壁取付構造であって、係合部が、収納棚と一体成型されていることを特徴とする収納棚の壁取付構造。
【発明の詳細な説明】
【技術分野】
【０００１】
本発明は収納棚の壁取付構造に関し、更に詳しくは例えば浴室、洗面脱衣室、トイレ等の室内の側壁に、前面が開口された物品収納用の凹部を備えた収納棚を、室内側から嵌め込んで取り付けできるよう形成した収納棚の壁取付構造に関するものである。
【背景技術】
【０００２】
従来この種の構造としては、例えば壁パネルを、隙間を隔てて隣り合わせに配置し、この壁パネルの裏側の側縁にフレームを取り付け、このフレームにくの字形の押圧片部を有する係止具を、押圧片部を開口側に配置して取り付け、一方、収納棚は上記の押圧片部とフレームの側面との間に差し入れる突起部を、サイドの取付片部の内側に形成し、この突起部を、くの字形の押圧片部で押圧して固定するよう形成しているものがある（例えば特許文献１参照）。
【０００３】
ところでこの種の構造は、収納棚を、簡単、迅速、低コストで取り付けできるよう、部品数や作業工程が少なくて済み、また壁や収納棚を大きく改造、改変することがないよう形成されているのが望ましい。
しかるに従来のこの種の構造は、上記の通り、先ず壁の裏側にフレームを固定し、次にこのフレームに係止具を固定しているものであったから、従来構造によると、部品数や作業工程が増加するのを避けられなかった。
また従来の構造は、このように壁の裏側にフレームを取り付ける作業を伴い、また収納棚は突起部を形成するための取付片部をサイドに備えている必要があった。従って従来の構造によると、壁や収納棚に大きな改造や改変を加えなければならず、その分、コストや手間暇が増大し、また壁や収納棚が重くなり、作業に労力がかかる、という問題点があった。
【特許文献１】実開平２−７９７５８号公報
【発明の開示】
【発明が解決しようとする課題】
【０００４】
本発明は、このような従来技術の問題点に鑑み、提案されたものである。
従って本発明の解決しようとする技術的課題は、部品数、作業工程数を減らして収納棚を、簡単、迅速、低コストで取り付けでき、壁や収納棚を大きく改造、改変することなく、収納棚を壁に取り付けできるよう形成した収納棚の壁取付構造を提供することにある。
【課題を解決するための手段】
【０００５】
本発明は、上記の課題を解決するため、次のような技術的手段を採る。
即ち本発明は、図１等に示されるように、前面が開口された物品収納用の凹部１ａを備えた収納棚１を、壁２の開口部３に室内側から嵌め込み、壁２の開口部３周りの対向位置に取り付けた一対の保持具４に、収納棚１の段差状の係合部５を係合させて収納棚１を壁２に取り付ける収納棚１の壁取付構造であって、上記の保持具４が上記の開口部３周りから開口部３の後方に延ばされて片持ちばりの板バネ状に形成され、上記の係合部５が収納棚１の外周面に形成され、収納棚１が開口部３に保持具４の内方への復元力に抗して嵌め込まれると、保持具４の後端部４ｂが収納棚１の係合部５に係合されることを特徴とする（請求項１）。
【０００６】
本発明の場合、保持具４は、収納棚１の大きさや形状等に合わせて、開口部３周りの両側、或いは上下位置、又は両側と上下位置に設けられる。従って係合部５は、保持具４の配設位置に対応して設けられ、保持具４が開口部３周りの、例えば両側縁部に設けられる場合は、収納棚１の両側の外周面に設けられる。またこの係合部５は、本発明の場合、段差状であれば、凸段差でも凹断差でも良い。
【０００７】
而して本発明の場合、保持具４の後端部４ｂは、外側にくの字状に屈曲されているのが好ましい（請求項２）。
なぜならこれによると、収納棚１の係合部５がくの字状に傾斜する後端部４ｂに円滑に案内されて押し込まれ、くの字の角４ｂ１を係合部５の前側の収納棚１の外周面に当接させて収納棚１を、堅固に且つ密着性良く、壁２に取り付けることができるからである。
【０００８】
また本発明は、図８に示されるように、保持具４の後端部４ｂが、壁２の前面と平行状に外側に屈曲され、凸段差状の係合部５の前面に面接触されるのが好ましい（請求項３）。
なぜならこれによると、保持具４の後端部４ｂと係合部５とが面接触するため、係合状態が安定化するからである。
【０００９】
また請求項１乃至３の何れかに記載の本発明は、図９に示されるように、係合部５が、収納棚１と一体成型されているのが好ましい（請求項４）。
なぜならこれによると、係合部５を、収納棚１の外周面に接着剤等で後付けする煩わしさを解消でき、係合部５の強度を高めることができるからである。
【発明の効果】
【００１０】
本発明は、このように保持具を開口部周りから開口部の後方に延ばして片持ちばりの板バネ状に形成し、この保持具の復元力（反発力）で収納棚を挟持して壁に取り付けが可能になるよう形成しているものである。
従って本発明の場合は、保持具の構造を簡素化でき、その部品数や取付作業の工程数を減少でき、また壁や収納棚を大きく改造、改変することなく、収納棚を壁に取り付けることができる。それ故これによると、工事の手間暇の軽減化、短縮化を図ることができ、コストを低廉化できる。
【発明を実施するための最良の形態】
【００１１】
以下、本発明を実施するための最良の形態を説明する。
図１等において、１は前面が開口された物品収納用の凹部１ａを備えた収納棚である。この収納棚１は、この実施形態では図２、図３に示されるように、縦長に形成され、棚板１ｂを多段状に複数備えて形成されている。１ｃは、棚板１ｂの挿し込み用の溝である。この溝１ｃは、凹部１ａの内側面の左右の対向位置に形成されている。また収納棚１は、前側の凹部１ａ周りの全周にフランジ部１ｄが形成され、このフランジ部１ｄの裏側の周縁位置に、フランジ部１ｄの全周にわたってパッキン１ｅが設けられている。２はパネル状の壁であり、３はこの壁２の開口部である。
【００１２】
４は、開口部３周りの、例えば左右の対向位置に取り付けられた左右一対の金属製の保持具である。本発明は、壁２の開口部３に収納棚１を室内側から嵌め込み、保持具４に、収納棚１の外周面の段差状の係合部５を係合させることにより、収納棚１を壁２に取り付ける構造である。
【００１３】
上記の保持具４は、図１、図４等に示されるように、上記の開口部３周りから開口部３の後方に延ばされて片持ちばりの板バネ状に形成されている。この保持具４の平板状の前端部４ａは、この実施形態では開口部３周りの両側の前縁部に、室内側からネジ６で固定され、収納棚１が壁２に取り付けられたときは、収納棚１のフランジ部１ｄで覆われるように形成されている。また保持具４の後端部４ｂは外側にくの字状に屈曲され、この後端部４ｂと前端部４ａとは、平板状の板面部４ｃを介してつながっており、前端部４ａと板面部４ｃはＬ字形を呈している。また前端部４ａと後端部４ｂと板面部４ｃとからなる保持具４は、金属板を曲げ加工することにより一体的に形成されている。
【００１４】
上記の係合部５は、収納棚１の両外側面の対向位置に、ブロック形の部材が接着されることにより、凸段差状に形成されている。７は、保持具４のくの字状の角４ｂ１が係合する凹みである。この凹み７は、係合部５の手前の収納棚１の外周面に形成されている。保持具４と係合部５は、壁２の開口部３の両側と収納棚１の外側面に、縦方向にわたって一定の間隔をあけ、複数設けられている。なお本発明の場合は、保持具４を室内側から取り付けることができるから、その取付作業は壁２を立てる前には限られず、壁２の設置後でも良い。従ってこれによると、施工手順を間違っても、手順前後に影響されることなく、施工が可能になる。
【００１５】
而して収納棚１が、図１、図４に示されるように、室内側から開口部３に、保持具４の内方への復元力に抗して嵌め込まれると、本発明は図５に示されるように、保持具４の後端部４ｂが係合部５に係合し、この保持具４によって収納棚１が左右側から押し付けられ、壁２に密着して取り付けられる。具体的には、作業者が収納棚１を保持具４の内方への復元力に抗して押し込むと、図６に示されるように、係合部５に押されて保持具４の後端部４ｂが外側（図面上は右側）に撓み、更に係合部５が押し込まれると、保持具４が内方への復元力で内側（図面上は左側）に復元し、後端部４ｂの角４ｂ１が、図５に示されるように、凹み７に係合すると共に、角４ｂ１から先の傾斜部が係合部５に係合し、収納棚１を壁２に固定する。このとき、収納棚１のフランジ部１ｄの周縁部は、壁２の前面に押し付けられ、パッキン１ｅが壁２の前面に密着し、収納棚１と壁２との隙間が塞がれる。
【００１６】
以上の処において、本発明の場合、上記の保持具４は、上例では壁２の前面にあてがわれる平板状の前端部４ａと、くの字状の後端部４ｂとの間が、前端部４ａからＬ字状を呈する板面部４ｃに形成されているが、保持具４の形状はこれに限定されるものではない。即ち本発明の場合、保持具４は、図７に示されるように、開口部３周りから開口部３の後方に斜めに延ばされて片持ちばりの板バネ状に形成されているのでも良い。この場合は、保持具４が開口部３の後方に斜めに延ばされているため、保持具４の撓みが大きくなり、従って収納棚１を挟み付ける保持具４の挟持力を増加できる。またこれによると、保持具４の曲げ加工の工程を減らすことができるから、その分、保持具４の加工コスト、製造コストを低廉化できる。
また本発明の場合、保持具４は、図８に示されるように、その後端部４ｂが、壁２の前面と平行状に外側に屈曲され、凸段差状の係合部５の前面に面接触するよう形成されているのでも良い。
【００１７】
また上記の係合部５は、図９に示されるように、収納棚１と一体成型されているのでも良く、更にこの係合部５は、本発明の場合、凸段差状には限られず、図１０、図１１に示されるように、凹段差状に形成され、この凹段差状の係合部５に、後端部４ｂの角４ｂ１が係合されるのでも良い。而してこの場合、係合部５は、収納棚１の外周面にあらためて凹段差状に形成される場合には限られない。即ち本発明は、例えば収納棚１の内面に、棚板１ｂを係合させるための段差が、内側に出っ張るように形成されている場合は、通常、この段差の突出した分だけ収納棚１の外周面にあらわれる凹段差を、保持具４の係合箇所として利用するのでも良い。本発明は、保持具４の後端部４ｂを収納棚１の外周面に係合させ、収納棚１を保持具４で挟み付けて壁２に固定する構造のため、収納棚１を大きく改変することなく、この種の凹段差を係合部５として利用することが可能になる。
【図面の簡単な説明】
【００１８】
【図１】本発明構造の好適な一実施形態を示す一部を切欠した要部分解斜視図である。
【図２】収納棚を示し、Ａは正面図、ＢはＡのＢ−Ｂ線断面図である。
【図３】壁に取り付けた収納棚を示す要部斜視図である。
【図４】同上構造の一部を切欠した要部分解横断面図である。
【図５】同上構造の一部を切欠した要部横断面図である。
【図６】保持具の作用を説明するための一部を切欠した要部横断面図である。
【図７】保持具の他の実施形態を示す一部を切欠した要部横断面図である。
【図８】保持具の他の実施形態を示す一部を切欠した要部横断面図である。
【図９】係合部の他の実施形態を示す一部を切欠した要部横断面図である。
【図１０】係合部の他の実施形態を示す一部を切欠した要部横断面図である。
【図１１】図１０の実施形態に係る本発明構造の一部を切欠した要部拡大横断面図である。
【符号の説明】
【００１９】
１      収納棚
１ａ    凹部
２      壁
３      開口部
４      保持具
４ａ    前端部
４ｂ    後端部
４ｃ    板面部
５      係合部
【図１】
2006249751.tif 000003
【図２】
2006249751.tif 000004
【図３】
2006249751.tif 000005
【図４】
2006249751.tif 000006
【図５】
2006249751.tif 000007
【図６】
2006249751.tif 000008
【図７】
2006249751.tif 000009
【図８】
2006249751.tif 000010
【図９】
2006249751.tif 000011
【図１０】
2006249751.tif 000012
【図１１】
2006249751.tif 000013